(57)【要約】【課題】複数の無線ＬＡＮクライアントが移動する環境下でも、輻輳の発生を防止し、通信の信頼性を確保することを可能とする無線ＬＡＮシステムを提供する。【解決手段】各無線ＬＡＮクライアント２ａ〜２ｄのアクセスポイントへの接続を一括制御する無線ＬＡＮコントローラ１０にて、電界強度の検出結果から求めた無線ＬＡＮクライアント２ａ〜２ｄすべての位置情報、アクセスポイント１ａ〜１ｄすべての帯域使用率を逐次収集し、ターゲットとする無線ＬＡＮクライアントが接続すべきアクセスポイントを決定する。また、逐次収集した位置情報に基づき、移動ベクトル生成部５にて各時点における各無線ＬＡＮクライアント２ａ〜２ｄの移動方向を予測し、該移動方向に存在するアクセスポイントそれぞれの帯域使用率に基づき、それぞれの時点において各無線ＬＡＮクライアントが接続すべきアクセスポイントの候補を事前に決定し、使用する帯域を予約確保する。【選択図】        図１
2009232155.tif 000002
【特許請求の範囲】
【請求項１】
１ないし複数の無線ＬＡＮクライアントを１ないし複数のアクセスポイントに接続する無線ＬＡＮシステムであって、各無線ＬＡＮクライアントに関するアクセスポイントへの接続を一括して制御する無線ＬＡＮコントローラを備え、該無線ＬＡＮコントローラは、当該無線ＬＡＮシステムに接続する無線ＬＡＮクライアントすべての位置情報、当該無線ＬＡＮシステムを構成するアクセスポイントすべての帯域使用率を逐次収集することにより、ターゲットとする無線ＬＡＮクライアントが接続すべきアクセスポイントを決定し、使用する帯域を確保することを特徴とする無線ＬＡＮシステム。
【請求項２】
前記無線ＬＡＮコントローラは、各無線ＬＡＮクライアントと各アクセスポイント間の電界強度を測定することにより、各無線ＬＡＮクライアントそれぞれの位置情報を取得することを特徴とする請求項１に記載の無線ＬＡＮシステム。
【請求項３】
前記無線ＬＡＮコントローラは、当該無線ＬＡＮシステムに接続する無線ＬＡＮクライアントすべての位置情報を逐次収集した情報に基づいて、各時点における各無線ＬＡＮクライアントの移動方向を予測し、該移動方向に存在するアクセスポイントそれぞれの帯域使用率に基づいて、それぞれの時点において各無線ＬＡＮクライアントが接続すべきアクセスポイントの候補を事前に決定し、使用する帯域を予約確保することを特徴とする請求項１または２に記載の無線ＬＡＮシステム。
【請求項４】
前記無線ＬＡＮコントローラは、無線ＬＡＮクライアントが接続すべき前記アクセスポイントの候補とされる、特定のアクセスポイントが、あらかじめ定めた個数以上の無線ＬＡＮクライアント数に及ぶ場合、当該アクセスポイントの周辺の他のアクセスポイントを迂回候補として決定することを特徴とする請求項３に記載の無線ＬＡＮシステム。
【請求項５】
前記無線ＬＡＮコントローラは、あらかじめ定めた閾値を超える帯域使用率のアクセスポイントが存在していた場合、当該アクセスポイントに接続されている無線ＬＡＮクライアントを、前記閾値を超えていない他のアクセスポイントへハンドオーバさせることを特徴とする請求項１ないし４のいずれかに記載の無線ＬＡＮシステム。
【請求項６】
１ないし複数の無線ＬＡＮクライアントを１ないし複数のアクセスポイントに接続する無線ＬＡＮシステムにおけるアクセスポイント輻輳制御方法であって、各無線ＬＡＮクライアントに関するアクセスポイントへの接続を一括して制御する無線ＬＡＮコントローラを有し、該無線ＬＡＮコントローラにて、当該無線ＬＡＮシステムに接続する無線ＬＡＮクライアントすべての位置情報、当該無線ＬＡＮシステムを構成するアクセスポイントすべての帯域使用率を逐次収集することにより、ターゲットとする無線ＬＡＮクライアントが接続すべきアクセスポイントを決定し、使用する帯域を確保することを特徴とするアクセスポイント輻輳制御方法。
【請求項７】
各無線ＬＡＮクライアントと各アクセスポイント間の電界強度を測定することにより、各無線ＬＡＮクライアントそれぞれの位置情報を取得することを特徴とする請求項６に記載のアクセスポイント輻輳制御方法。
【請求項８】
当該無線ＬＡＮシステムに接続する無線ＬＡＮクライアントすべての位置情報を逐次収集した情報に基づいて、各時点における各無線ＬＡＮクライアントの移動方向を予測し、該移動方向に存在するアクセスポイントそれぞれの帯域使用率に基づいて、それぞれの時点において各無線ＬＡＮクライアントが接続すべきアクセスポイントの候補を事前に決定し、使用する帯域を予約確保することを特徴とする請求項６または７に記載のアクセスポイント輻輳制御方法。
【請求項９】
無線ＬＡＮクライアントが接続すべき前記アクセスポイントの候補とされる、特定のアクセスポイントが、あらかじめ定めた個数以上の無線ＬＡＮクライアント数に及ぶ場合、当該アクセスポイントの周辺の他のアクセスポイントを迂回候補として決定することを特徴とする請求項８に記載のアクセスポイント輻輳制御方法。
【請求項１０】
あらかじめ定めた閾値を超える帯域使用率のアクセスポイントが存在していた場合、当該アクセスポイントに接続されている無線ＬＡＮクライアントを、前記閾値を超えていない他のアクセスポイントへハンドオーバさせることを特徴とする請求項６ないし９のいずれかに記載のアクセスポイント輻輳制御方法。
【請求項１１】
請求項６ないし１０のいずれかに記載のアクセスポイント輻輳制御方法を、コンピュータにより実行可能なプログラムとして実施することを特徴とするアクセスポイント輻輳制御プログラム。
【請求項１２】
請求項１１に記載のアクセスポイント輻輳制御プログラムを、コンピュータにより読み取り可能な記録媒体に記録していることを特徴とするプログラム記録媒体。
【発明の詳細な説明】
【技術分野】
【０００１】
本発明は、無線ＬＡＮシステム、アクセスポイント輻輳制御方法、アクセスポイント輻輳制御プログラムおよびプログラム記録媒体に関し、無線ＬＡＮを用いた環境において、無線ＬＡＮクライアントの特定アクセスポイントへの集中を防止する無線ＬＡＮシステム、アクセスポイント輻輳制御方法、アクセスポイント輻輳制御プログラムおよびプログラム記録媒体に関する。特に、公衆無線ＬＡＮ、自営無線ＬＡＮ網を対象とする無線ＬＡＮシステムに好適に適用することが可能である。
に関する。
【背景技術】
【０００２】
無線ＬＡＮシステムには、現在、多種多様な端末が存在しているが、従来の無線ＬＡＮシステムの場合、無線ＬＡＮクライアントの移動制限等がないため、特定のアクセスポイントに負荷が集中することが、多々発生している。
【０００３】
かかるアクセスポイントの輻輳を防止するために、特許文献１の特開２００５−３３２８５号公報「無線情報端末および無線通信システム」においては、無線ＬＡＮクライアントが別のアクセスポイントへハンドオーバする際に、ハンドオーバしようとするアクセスポイントの混雑状況や受信電界強度情報を無線ＬＡＮクライアントのユーザに提供する仕組みを有することによって、通信待ち時間やデータ再送信が少ない最適なアクセスポイントを選択する技術を提案している。
【特許文献１】特開２００５−３３２８５号公報（第５−７頁）
【発明の開示】
【発明が解決しようとする課題】
【０００４】
しかしながら、前記特許文献１に記載のような従来の技術においては、無線ＬＡＮクライアントがハンドオーバを行う際に、アクセスポイントの電界強度を検出し、最も電波の強い順に優先して、接続を行うようにしている。つまり、無線ＬＡＮクライアントがハンドオーバを行う際に、接続しようとするアクセスポイントに関しては、当該無線ＬＡＮクライアント側からの情報のみを基にして接続先のアクセスポイントが決まり、他の無線ＬＡＮクライアントの情報を同時に制御しようとしていない。
【０００５】
このため、複数の無線ＬＡＮクライアントが同時に同一のアクセスポイントへ移動しようとした場合などにおいては、ハンドオーバ先のアクセスポイントの準備が間に合わないために、最悪、通信中の無線ＬＡＮクライアントの通信が切断されてしまうことが発生してしまう。これは、ハンドオーバ先のアクセスポイントにて同時移行に伴う輻輳が起こっており、さらに、周辺のアクセスポイントにも輻輳が波及して発生する状況になってしまい、迂回することができないことが、原因となっている。
【０００６】
さらに説明すれば、従来のこのような複数の無線ＬＡＮクライアントの移動管理、ならびに、各アクセスポイントの帯域使用率の統計を取得しないで、無線ＬＡＮクライアントのハンドオーバ制御を行っている無線ＬＡＮ制御環境下では、以下のような問題を生じる。
【０００７】
かくのごとき従来の無線ＬＡＮシステムにおいては、複数の無線ＬＡＮクライアントの移動があり得るにもかかわらず、無線ＬＡＮクライアント側の電界強度を優先し、ハンドオーバ前の輻輳情報を使用して、ハンドオーバ先のアクセスポイントを確定している。そのため、ハンドオーバ先のアクセスポイントにて一挙に輻輳を起こしてしまうという問題が生じる場合がある。
【０００８】
また、一旦、特定のアクセスポイントにて、輻輳に近い状態になった場合、当該アクセスポイントに接続している無線ＬＡＮクライアントが、移動して他のアクセスポイントへハンドオーバしない限り、本輻輳状態が解消されることはない。そのため、さらに他の無線ＬＡＮクライアントが輻輳に近い状態の当該アクセスポイントへのハンドオーバが生じた場合、接続することができず、切断等が発生する可能性がある。
【０００９】
つまり、無線ＬＡＮを用いて、複数の無線ＬＡＮクライアントならびに複数のアクセスポイントが存在する環境においては、従来の無線ＬＡＮシステムの場合、特定のアクセスポイントへ接続が集中する現象が起こり、通信の信頼性が著しく損なわれるという問題がある。
【００１０】
本発明は、かかる問題を解決するためになされたものであり、無線ＬＡＮクライアントがアクセスポイントのハンドオーバを行う際に、当該無線ＬＡＮクライアントの移動方向等の予測を事前に行い、事前に予測した移動方向のアクセスポイントを決定して、帯域を確保することにより、複数の無線ＬＡＮクライアントが移動する環境下であっても、輻輳の発生を防止し、通信の信頼性を確保することを可能とする無線ＬＡＮシステム、アクセスポイント輻輳制御方法、そのプログラムおよびプログラム記録媒体を提供することを目的としている。
【課題を解決するための手段】
【００１１】
前述の課題を解決するため、本発明による無線ＬＡＮシステム、アクセスポイント輻輳制御方法、アクセスポイント輻輳制御プログラムおよびプログラム記録媒体は、次のような特徴的な構成を採用している。
【００１２】
（１）１ないし複数の無線ＬＡＮクライアントを１ないし複数のアクセスポイントに接続する無線ＬＡＮシステムであって、各無線ＬＡＮクライアントに関するアクセスポイントへの接続を一括して制御する無線ＬＡＮコントローラを備え、該無線ＬＡＮコントローラは、当該無線ＬＡＮシステムに接続する無線ＬＡＮクライアントすべての位置情報、当該無線ＬＡＮシステムを構成するアクセスポイントすべての帯域使用率を逐次収集することにより、ターゲットとする無線ＬＡＮクライアントが接続すべきアクセスポイントを決定し、使用する帯域を確保する無線ＬＡＮシステム。
【発明の効果】
【００１３】
本発明の無線ＬＡＮシステム、アクセスポイント輻輳制御方法、アクセスポイント輻輳制御プログラムおよびプログラム記録媒体によれば、以下のような効果を得ることができる。
【００１４】
無線ＬＡＮに接続される無線ＬＡＮクライアントの移動方向の予測から得られる予測位置に基づいて、接続すべきアクセスポイントを決定するとともに、無線ＬＡＮクライアントのハンドオーバの制御を無線ＬＡＮコントローラ側にて集中して実施しているので、無線ＬＡＮクライアントのハンドオーバ先のアクセスポイントが一箇所に集中することを排除することが可能であり、さらに、特定のアクセスポイントの輻輳による切断等を最小に抑えることができる。而して、複数の無線ＬＡＮクライアントが接続される無線ＬＡＮの環境における通信の信頼性を向上することができる。
【発明を実施するための最良の形態】
【００１５】
以下、本発明による無線ＬＡＮシステム、アクセスポイント輻輳制御方法、アクセスポイント輻輳制御プログラムおよびプログラム記録媒体の好適な実施形態について添付図を参照して説明する。なお、以下の説明においては、本発明による無線ＬＡＮシステム、アクセスポイント輻輳制御方法について説明するが、かかるアクセスポイント輻輳制御方法をコンピュータにより実行可能なアクセスポイント輻輳制御プログラムとして実施するようにしても良いし、あるいは、アクセスポイント輻輳制御プログラムをコンピュータにより読み取り可能な記録媒体に記録するようにしても良いことは言うまでもない。
【００１６】
（本発明の特徴）
本発明の実施形態の説明に先立って、本発明の特徴について、その概要をまず説明する。本発明は、無線ＬＡＮを用いた環境において、無線ＬＡＮクライアントすべての移動予測機能とアクセスポイントすべての帯域使用率の収集機能を無線ＬＡＮコントローラに搭載し、該無線ＬＡＮコントローラによる一括管理による各無線ＬＡＮクライアントのハンドオーバの動的制御および動的制御による帯域予約使用の効率化と、アクセスポイントの輻輳を避け、負荷分散を実現する仕組みを提供することを主要な特徴としている。
【００１７】
図１のブロック構成図を用いて、本発明の特徴についてさらに説明する。図１は、本発明による無線ＬＡＮシステムのシステム構成の一例を示すシステム構成図であり、本発明の主要な特徴としてすべてのアクセスポイントを一括管理する無線ＬＡＮコントローラ１０を備えていることを主要な特徴としている。
【００１８】
図１のシステム構成図には、無線ＬＡＮを構成するアクセスポイントとして、アクセスポイント１ａ〜１ｄの４個が接続されている場合を示している。図１のシステム構成図において、無線ＬＡＮコントローラ１０の電界強度検出部３は、複数（図１の場合、４個）のアクセスポイント１ａ〜１ｄと複数の無線ＬＡＮクライアント２ａ〜２ｄ間の電界強度の情報を逐次収集する。情報集計部４は、電界強度検出部３が収集した電界強度の情報を基に、その都度、無線ＬＡＮクライアント２ａ〜２ｄそれぞれの位置座標を算出する。
【００１９】
逐次算出される無線ＬＡＮクライアント２ａ〜２ｄそれぞれの位置座標情報は、移動ベクトル生成部５にて、２次元ベクトル化し、無線ＬＡＮクライアント２ａ〜２ｄそれぞれの移動方向を予測算出する。また、同時に、統計情報収集部６にて、各アクセスポイント１ａ〜１ｄの帯域使用率を逐次収集する。アクセスポイント候補算出部７は、移動ベクトル生成部５が予測算出した無線ＬＡＮクライアント２ａ〜２ｄそれぞれの移動方向、および、統計情報収集部６が算出した無線ＬＡＮクライアント２ａ〜２ｄそれぞれの位置座標の情報を基にして、無線ＬＡＮクライアント２ａ〜２ｄのうち、ターゲットの無線ＬＡＮクライアントが、接続すべきアクセスポイントの候補を算出し、使用する帯域を予約確保する。
【００２０】
接続通知部８は、アクセスポイント候補算出部７が算出した接続すべきアクセスポイントの候補の情報を基にして、ターゲットの無線ＬＡＮクライアントに対し、最適なアクセスポイントを経由して、接続すべきアクセスポイントを通知する。また、輻輳状態になっているアクセスポイントが存在する場合は、輻輳を緩和させるために、周囲の使用率の低いアクセスポイントへのハンドオーバを実施するよう無線ＬＡＮクライアントに通知を行う。
【００２１】
以上のようなアクセスポイント輻輳制御方法を採用することによって、無線ＬＡＮクライアントとアクセスポイントとの接続制御を無線ＬＡＮコントローラ１０において一元管理することができ、その結果として、特定のアクセスポイントへの接続の集中を防止することにより、特定のアクセスポイントにて輻輳が発生することを避けることができる。
【００２２】
（実施形態の構成）
図１は、前述したように、本発明による無線ＬＡＮシステムの一実施形態を示すシステム構成である。図１に示す本発明の無線ＬＡＮシステムにおいては、無線ＬＡＮを用いた環境において、当該無線ＬＡＮに接続する複数の無線ＬＡＮクライアント２ａ〜２ｄそれぞれのアクセスポイント１ａ〜１ｄへの接続制御を無線ＬＡＮコントローラ１０において集中的に実施する構成例を示している。
【００２３】
図１に示す無線ＬＡＮコントローラ１０では、前述したように、無線ＬＡＮを構成する複数のアクセスポイント１ａ〜１ｄと無線ＬＡＮクライアント２ａ〜２ｄ間の電界強度の情報を無線ＬＡＮクライアント２ａ〜２ｄそれぞれに対応付けて、時刻情報とともに、電界強度検出部３にて、例えば、次のように、収集している。なお、次の“１ａ強度”、“１ｂ強度”、…は、それぞれの無線ＬＡＮクライアント２ａ，２ｂ，…における、アクセスポイント１ａ、アクセスポイント１ｂ、…との間の電界強度を示している。
【００２４】
クライアント２ａ：  時刻、１ａ強度、１ｂ強度、１ｃ強度、１ｄ強度
クライアント２ｂ：  時刻、１ａ強度、１ｂ強度、１ｃ強度、１ｄ強度
クライアント２ｃ：  時刻、１ａ強度、１ｂ強度、１ｃ強度、１ｄ強度
クライアント２ｄ：  時刻、１ａ強度、１ｂ強度、１ｃ強度、１ｄ強度
【００２５】
電界強度検出部３により収集されたアクセスポイント１ａ〜１ｄと無線ＬＡＮクライアント２ａ〜２ｄ間の電界強度は、時刻情報とともに、情報集計部４に通知され、無線ＬＡＮクライアント２ａ〜２ｄごとに管理される。情報集計部４は、電界強度検出部３から通知されてきた情報(時刻情報とアクセスポイント１ａ〜１ｄと無線ＬＡＮクライアント２ａ〜２ｄ間の電界強度に関する情報)を基にして、時刻情報が示す時刻における各無線ＬＡＮクライアント２ａ〜２ｄの位置座標を算出する。
【００２６】
クライアント２ａ：  時刻、座標（ｘ，ｙ）
クライアント２ｂ：  時刻、座標（ｘ，ｙ）
クライアント２ｃ：  時刻、座標（ｘ，ｙ）
クライアント２ｄ：  時刻、座標（ｘ，ｙ）
【００２７】
ここで、算出される位置座標情報は、移動ベクトル生成部５に通知され、電界強度検出部３から逐次通知される情報から時間の経過とともに逐次得られるものであり、この結果として、各無線ＬＡＮクライアント２ａ〜２ｄの単位時間当たりの移動スピード等を逐次算出することができる。逐次算出された各無線ＬＡＮクライアント２ａ〜２ｄの単位時間当たりの移動スピード等は、２次元ベクトル化が行われ、各無線ＬＡＮクライアント２ａ〜２ｄの移動方向を予測算出することが可能な次のような数式へと置換される。なお、本数式は、逐次通知される情報により、逐次補正される。
【００２８】
クライアント２ａ座標（ｘ，ｙ）＝（ｘａ＋Ｘａ×ｔ、ｙａ＋Ｙａ×ｔ）
クライアント２ｂ座標（ｘ，ｙ）＝（ｘｂ＋Ｘｂ×ｔ、ｙｂ＋Ｙｂ×ｔ）
クライアント２ｃ座標（ｘ，ｙ）＝（ｘｃ＋Ｘｃ×ｔ、ｙｃ＋Ｙｃ×ｔ）
クライアント２ｄ座標（ｘ，ｙ）＝（ｘｄ＋Ｘｄ×ｔ、ｙｄ＋Ｙｄ×ｔ）
ここで、（ｘａ、ｙａ）、（ｘｂ、ｙｂ）、（ｘｃ、ｙｃ）、（ｘｄ、ｙｄ）は、それぞれ、各無線ＬＡＮクライアント２ａ，２ｂ，２ｃ，２ｄの１単位時間前の位置を基準点とする位置情報であり、（Ｘａ、Ｙａ）、（Ｘｂ、Ｙｂ）、（Ｘｃ、Ｙｃ）、（Ｘｄ、Ｙｄ）は、それぞれ、各無線ＬＡＮクライアント２ａ，２ｂ，２ｃ，２ｄの２次元ベクトル化した移動速度を示す。また、ｔは、経過時間を表す。
【００２９】
かくのごとく、移動方向を予測算出可能な数式に置換することによって、ｔ時間経過後の各無線ＬＡＮクライアント２ａ〜２ｄの位置を予測することができる。
【００３０】
また、同時に、統計情報収集部６にて、各アクセスポイント１ａ〜１ｄの帯域使用率および輻輳を示す輻輳フラグを、次に示すように、逐次収集している。統計情報収集部６においては、各アクセスポイント１ａ〜１ｄの座標情報と帯域使用率と輻輳フラグとを関連付けて管理され、帯域使用率は、時間の経過とともに、逐次更新される。
【００３１】
アクセスポイント１ａ：  座標（ｘ，ｙ）、帯域使用率、輻輳フラグ
アクセスポイント１ｂ：  座標（ｘ，ｙ）、帯域使用率、輻輳フラグ
アクセスポイント１ｃ：  座標（ｘ，ｙ）、帯域使用率、輻輳フラグ
アクセスポイント１ｄ：  座標（ｘ，ｙ）、帯域使用率、輻輳フラグ
【００３２】
移動ベクトル生成部５にて予測算出された各無線ＬＡＮクライアント２ａ〜２ｄの予測位置および統計情報収集部６にて収集された各アクセスポイント１ａ〜１ｄの座標情報と帯域使用率と輻輳フラグに関する情報は、アクセスポイント候補算出部７に通知される。
【００３３】
ここで、アクセスポイント候補算出部７は、移動ベクトル生成部５にて予測算出された各無線ＬＡＮクライアント２ａ〜２ｄの予測位置および統計情報収集部６にて収集された各アクセスポイント１ａ〜１ｄの座標情報と帯域使用率と輻輳フラグに関する情報を基にして、ｔ時間後のターゲットの無線ＬＡＮクライアント２ａ〜２ｄそれぞれの予測位置とその時点で接続すべきアクセスポイントの候補を算出し、使用する帯域を予約確保する。このとき、ｔ時間後に接続すべきアクセスポイントの候補が、アクセスポイント１ａ〜１ｄのうち、特定のアクセスポイントに集中する場合、本アクセスポイント候補算出部７にて、アクセスポイントの迂回候補を算出する。
【００３４】
アクセスポイント候補算出部７にて算出されたｔ時間後に接続すべきアクセスポイントの候補に関する情報は、接続通知部８に通知される。接続通知部８は、アクセスポイント候補算出部７からの情報を基にして、ターゲットの無線ＬＡＮクライアント２ａ〜２ｄに対して、現時点で最適なアクセスポイントを経由して、ｔ時間後に接続すべきアクセスポイントを通知する。また、輻輳状態になっているアクセスポイントが存在している場合は、輻輳を緩和させるため、周囲の使用率の低いアクセスポイントへのハンドオーバを実施するよう無線ＬＡＮクライアントに対して通知を行う。
【００３５】
（本実施形態の動作例の説明）
次に、図１に示す本実施形態の無線ＬＡＮシステムの動作について、その一例をさらに説明する。まず、無線ＬＡＮコントローラ１０は、複数のアクセスポイント１ａ〜１ｄと無線ＬＡＮクライアント２ａ〜２ｄ間の電界強度の情報を電界強度検出部３にて収集する。電界強度検出部３により収集された強度情報は、時刻情報とともに、情報集計部４に通知される。情報集計部４においては、無線ＬＡＮクライアント２ａ〜２ｄごとに、各アクセスポイント１ａ〜１ｄとの間の電界強度が時刻情報とともに管理されるとともに、それぞれの時刻における各無線ＬＡＮクライアント２ａ〜２ｄの位置座標が算出される。なお、無線ＬＡＮクライアント２ａ〜２ｄの位置情報は、単位時間ごとに逐次補正され、その都度、移動ベクトル生成部５に通知される。
【００３６】
ここで、移動ベクトル生成部５は、情報集計部４から逐次通知されてくる無線ＬＡＮクライアント２ａ〜２ｄの位置情報に基づいて、単位時間当たりの移動スピード等を、その都度、算出補正するとともに、２次元ベクトル化を行ない、無線ＬＡＮクライアント２ａ〜２ｄの移動方向を予測算出可能な数式への置き換えを、その都度、行う。以下には、無線ＬＡＮクライアント２ａを例にとってさらに説明する。
【００３７】
時刻tの時点における無線ＬＡＮクライアント２ａの移動位置を予測算出可能な予測位置算出式は、次の通りとなる。このとき、ｘａならびにｙａは、無線ＬＡＮクライアント２ａの１単位時間前の基準位置を示している。Ｘａ（ｔ）ならびにＹａ（ｔ）は、１単位時間前からの移動速度を表している。
【００３８】
時刻ｔ時点での単位時間Ｔ後の予測位置算出式
クライアント２ａ座標（ｘ，ｙ）
＝（ｘａ＋Ｘａ(ｔ)×Ｔ、ｙａ＋Ｙａ(ｔ)×Ｔ）
【００３９】
時刻ｔからα時間後の(ｔ+α)時点での単位時間Ｔ後の予測位置算出式
クライアント２ａ座標（ｘ，ｙ）
＝（ｘａ＋Ｘａ(ｔ+α)×Ｔ、ｙａ＋Ｙａ(ｔ+α)×Ｔ）
【００４０】
次に、統計情報収集部６について説明する。統計情報収集部６は、各アクセスポイント１ａ〜１ｄの帯域使用率を逐次収集し、合わせて、輻輳状態の監視を行い、輻輳の有無を輻輳フラグとして設定する。統計情報収集部６においては、アクセスポイント単位で情報の管理が行われ、アクセスポイント１ａを例に説明すると、統計情報収集部６にて収集される情報は、下記の通りアクセスポイント１ａの座標位置と関連付けており、アクセスポイント１ａの帯域使用率があらかじめ定めた閾値を越える場合は、該当のアクセスポイント１ａの情報として、輻輳状態を示す輻輳フラグを設定して管理する。
アクセスポイント１ａ：  座標（ｘ，ｙ）、帯域使用率、輻輳フラグ
【００４１】
統計情報収集部６にて収集された各アクセスポイント１ａ〜１ｄに関する情報は、アクセスポイント候補算出部７に通知される。アクセスポイント候補算出部７は、移動ベクトル生成部５からの無線ＬＡＮクライアント２ａ〜２ｄの予測位置に関する情報および統計情報収集部６からの各アクセスポイント１ａ〜１ｄの座標、帯域使用率に関する情報を基にして、アクセスポイント１ａ〜１ｄのうち、ｔ時間後のターゲットの無線ＬＡＮクライアント２ａ〜２ｄそれぞれが接続すべきアクセスポイントを算出する。
【００４２】
このとき、無線ＬＡＮクライアント２ａ〜２ｄそれぞれが接続すべきアクセスポイントが、アクセスポイント１ａ〜１ｄのうち、特定のアクセスポイントに集中する場合、本アクセスポイント候補算出部７にて、アクセスポイントの迂回候補を算出する。算出したアクセスポイントの候補は、接続通知部８に送られ、接続通知部８から、各無線ＬＡＮクライアント２ａ〜２ｄに対して通知される。
【００４３】
また、逐次、通知されてくる統計情報収集部６からの情報に輻輳状態になっているアクセスポイントであることを示す輻輳フラグ情報が含まれている場合は、当該アクセスポイントの輻輳を緩和させるため、本アクセスポイント候補算出部７にて、他の使用率の低いアクセスポイントを、ハンドオーバすべきアクセスポイントの候補として算出する。算出したハンドオーバすべきアクセスポイントの候補は、接続通知部８に送られ、接続通知部８から、輻輳フラグが設定されている該当のアクセスポイントに接続している無線ＬＡＮクライアントに対して、ハンドオーバすべきアクセスポイントの候補へのハンドオーバを実施するよう通知される。この場合、ハンドオーバを促す無線ＬＡＮクライアントの候補は、該当の輻輳アクセスポイントとハンドオーバすべきアクセスポイントの候補との距離の差が、同等なものを優先する。
【００４４】
以上のように、無線ＬＡＮコントローラ１０において、一括して、各無線ＬＡＮクライアント２ａ〜２ｄの移動方向の予測から得られる予測位置に基づいて、接続すべきアクセスポイントを決定するアクセスポイント１ａ〜１ｄに関するアクセス制御（輻輳制御）を行うとともに、無線ＬＡＮクライアント２ａ〜２ｄのハンドオーバ制御の集中管理を行うことによって、無線ＬＡＮクライアント２ａ〜２ｄのハンドオーバ先の一箇所（特定アクセスポイント）への集中を排除し、特定のアクセスポイントの輻輳を最小に抑え、通信の信頼性を高めることができる。
【００４５】
（本実施形態の効果の説明）
以上に説明したように、本実施形態によれば、前述したように、無線ＬＡＮクライアント２ａ〜２ｄの移動方向の予測から得られる予測位置に基づいて、接続すべきアクセスポイントを決定するとともに、無線ＬＡＮクライアントのハンドオーバの制御を無線ＬＡＮコントローラ側にて集中して実施しているので、無線ＬＡＮクライアントのハンドオーバ先のアクセスポイントが一箇所に集中することを排除することが可能であり、さらに、特定のアクセスポイントの輻輳による切断等を最小に抑えることができる。而して、複数の無線ＬＡＮクライアントが接続される無線ＬＡＮの環境における通信の信頼性を向上することができる。
【００４６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００４７】
（２）前記無線ＬＡＮコントローラは、各無線ＬＡＮクライアントと各アクセスポイント間の電界強度を測定することにより、各無線ＬＡＮクライアントそれぞれの位置情報を取得する上記（１）の無線ＬＡＮシステム。
（３）前記無線ＬＡＮコントローラは、当該無線ＬＡＮシステムに接続する無線ＬＡＮクライアントすべての位置情報を逐次収集した情報に基づいて、各時点における各無線ＬＡＮクライアントの移動方向を予測し、該移動方向に存在するアクセスポイントそれぞれの帯域使用率に基づいて、それぞれの時点において各無線ＬＡＮクライアントが接続すべきアクセスポイントの候補を事前に決定し、使用する帯域を予約確保する上記（１）または（２）の無線ＬＡＮシステム。
（４）前記無線ＬＡＮコントローラは、無線ＬＡＮクライアントが接続すべき前記アクセスポイントの候補とされる、特定のアクセスポイントが、あらかじめ定めた個数以上の無線ＬＡＮクライアント数に及ぶ場合、当該アクセスポイントの周辺の他のアクセスポイントを迂回候補として決定する上記（３）の無線ＬＡＮシステム。
（５）前記無線ＬＡＮコントローラは、あらかじめ定めた閾値を超える帯域使用率のアクセスポイントが存在していた場合、当該アクセスポイントに接続されている無線ＬＡＮクライアントを、前記閾値を超えていない他のアクセスポイントへハンドオーバさせる上記（１）ないし（４）のいずれかの無線ＬＡＮシステム。
（６）１ないし複数の無線ＬＡＮクライアントを１ないし複数のアクセスポイントに接続する無線ＬＡＮシステムにおけるアクセスポイント輻輳制御方法であって、各無線ＬＡＮクライアントに関するアクセスポイントへの接続を一括して制御する無線ＬＡＮコントローラを有し、該無線ＬＡＮコントローラにて、当該無線ＬＡＮシステムに接続する無線ＬＡＮクライアントすべての位置情報、当該無線ＬＡＮシステムを構成するアクセスポイントすべての帯域使用率を逐次収集することにより、ターゲットとする無線ＬＡＮクライアントが接続すべきアクセスポイントを決定し、使用する帯域を確保するアクセスポイント輻輳制御方法。
（７）各無線ＬＡＮクライアントと各アクセスポイント間の電界強度を測定することにより、各無線ＬＡＮクライアントそれぞれの位置情報を取得する上記（６）のアクセスポイント輻輳制御方法。
（８）当該無線ＬＡＮシステムに接続する無線ＬＡＮクライアントすべての位置情報を逐次収集した情報に基づいて、各時点における各無線ＬＡＮクライアントの移動方向を予測し、該移動方向に存在するアクセスポイントそれぞれの帯域使用率に基づいて、それぞれの時点において各無線ＬＡＮクライアントが接続すべきアクセスポイントの候補を事前に決定し、使用する帯域を予約確保する上記（６）または（７）のアクセスポイント輻輳制御方法。
（９）無線ＬＡＮクライアントが接続すべき前記アクセスポイントの候補とされる、特定のアクセスポイントが、あらかじめ定めた個数以上の無線ＬＡＮクライアント数に及ぶ場合、当該アクセスポイントの周辺の他のアクセスポイントを迂回候補として決定する上記（８）のアクセスポイント輻輳制御方法。
（１０）あらかじめ定めた閾値を超える帯域使用率のアクセスポイントが存在していた場合、当該アクセスポイントに接続されている無線ＬＡＮクライアントを、前記閾値を超えていない他のアクセスポイントへハンドオーバさせる上記（６）ないし（９）のいずれかのアクセスポイント輻輳制御方法。
（１１）上記（６）ないし（１０）のいずれかのアクセスポイント輻輳制御方法を、コンピュータにより実行可能なプログラムとして実施するアクセスポイント輻輳制御プログラム。
（１２）上記（１１）のアクセスポイント輻輳制御プログラムを、コンピュータにより読み取り可能な記録媒体に記録しているプログラム記録媒体。
【図面の簡単な説明】
【００４８】
【図１】本発明による無線ＬＡＮシステムのシステム構成の一例を示すシステム構成図である。
【符号の説明】
【００４９】
１０      無線ＬＡＮコントローラ
１ａ      アクセスポイント
１ｂ      アクセスポイント
１ｃ      アクセスポイント
１ｄ      アクセスポイント
２ａ      無線ＬＡＮクライアント
２ｂ      無線ＬＡＮクライアント
２ｃ      無線ＬＡＮクライアント
２ｄ      無線ＬＡＮクライアント
４        情報集計部
３        電界強度検出部
５        移動ベクトル生成部
６        統計情報収集部
７        アクセスポイント候補算出部
８        接続通知部
【図１】
2009232155.tif 000003